(57)【要約】      （修正有）【課題】  小型化を図るとともに、ＶＳＷＲ特性の向上を一層促進させることができるアンテナを実現する。【解決手段】  ほぼ半円形状あるいは、ほぼ半円の円弧を多角形で近似した形状の主部分１ａと、主部分１ａよりも小さい付帯部分１ｂとを有するアンテナエレメント１を備え、主部分１ａの直径の一端部に給電を行うモノポール構造を有する。【選択図】    図１
2006025084.tif 000002
【特許請求の範囲】
【請求項１】
ほぼ半円形状あるいはほぼ半円の円弧を多角形で近似した形状の主部分と、前記主部分よりも小さい付帯部分とを有するアンテナエレメントを備え、
前記アンテナエレメントの主部分の直径の一端部に給電を行うモノポール又はダイポール構造を有することを特徴とするアンテナ。
【請求項２】
前記アンテナエレメントの付帯部分は、前記主部分の直径と直交する方向の長さの２倍と当該長さの半分とを辺に持つ矩形内に収まる形状であることを特徴とする請求項１に記載のアンテナ。
【請求項３】
前記アンテナエレメントは、直方体を型として折り曲げられていることを特徴とする請求項１又は２に記載のアンテナ。
【請求項４】
前記アンテナエレメントは誘電体上に形成されたことを特徴とする請求項１から３のいずれかの項に記載のアンテナ。
【請求項５】
前記アンテナエレメントの付帯部分にスリットが設けられたことを特徴とする請求項１から４のいずれかの項に記載のアンテナ。
【発明の詳細な説明】
【技術分野】
【０００１】
本発明は、携帯通信機器等に具備されるアンテナに関する。
【背景技術】
【０００２】
広帯域特性を実現するアンテナとして円形のアンテナエレメントを用いた円板モノポールアンテナが知られている。また、その円板モノポールアンテナを小型化するために、従来は、円形のアンテナエレメントを変形させている。例えば、円形のアンテナエレメントを直径を折り目にして直角に折り曲げている（例えば、特許文献１参照）。
【特許文献１】特開２００２−１６４７３１号公報
【発明の開示】
【発明が解決しようとする課題】
【０００３】
しかし、上述した従来の小型化の方法では、まだアンテナエレメントが占有する空間が大きく、小型化が不十分であるという問題が生じている。例えば、携帯電話機等の携帯通信機器のように実装スペースが制限される場合には、更なる小型化が要求されている。
【０００４】
また、円形のアンテナエレメントを半分に折り返した場合、所望の周波数帯域内に反共振点が発生してＶＳＷＲ（Voltage Standing Wave Ratio）特性が乱れ、一様な広帯域特性を得ることが難しいという問題もある。
【０００５】
上記した問題点を解決するために、半円形又は半楕円形の形状にアンテナエレメントを構成することが考えられる。これにより、良好な広帯域特性を実現するとともに小型化を図ることが可能となるが、更なるＶＳＷＲ特性の改善および小型化が要望されている。
【０００６】
本発明は、このような事情を考慮してなされたもので、その目的は、従来よりも良好なＶＳＷＲ特性を持つアンテナおよび従来よりも小形なアンテナを提供することにある。
【課題を解決するための手段】
【０００７】
上記の課題を解決するために、本発明に係るアンテナは、ほぼ半円形状あるいはほぼ半円の円弧を多角形で近似した形状の主部分と、前記主部分よりも小さい付帯部分とを有するアンテナエレメントを備え、前記アンテナエレメントの主部分の直径の一端部に給電を行うモノポール又はダイポール構造を有することを特徴としている。
【０００８】
本発明に係るアンテナにおいては、前記アンテナエレメントの付帯部分は、前記主部分の直径と直交する方向の長さの２倍と当該長さの半分とを辺に持つ矩形内に収まる形状であることを特徴とする。
【０００９】
本発明に係るアンテナにおいては、前記アンテナエレメントは、直方体を型として折り曲げられていることを特徴とする。
【００１０】
本発明に係るアンテナにおいては、前記アンテナエレメントは誘電体上に形成されたことを特徴とする。
【００１１】
本発明に係るアンテナにおいては、前記アンテナエレメントの付帯部分にスリットが設けられたことを特徴とする。
【発明の効果】
【００１２】
本発明によれば、ＶＳＷＲ特性の改善または小型化を一層促進させることができる。
【発明を実施するための最良の形態】
【００１３】
以下、図面を参照し、本発明の実施形態を説明する。
図１は、本発明の第１の実施形態に係るアンテナの概略構成を示す側面図である。本実施形態においては、アンテナエレメントを用いてモノポール構造に組み立てている。
【００１４】
アンテナエレメント１は、半円形状部分１ａと矩形状部分１ｂを有する導体板からなる部材である。矩形状部分１ｂは、半円形状部分１ａの直径側に設けられる。アンテナエレメント１は、半円形状部分１ａの直径が当該アンテナの共振波長λの略１／４となる長さである。
給電部２はアンテナエレメント１に給電を行う部材である。給電部２はアンテナエレメント１の半円形状部分１ａの直径の一端と、地板３とに接続されている。
【００１５】
図２、図３は、第１の実施形態に係るアンテナの変形例の概略構成を示す側面図である。図２では、アンテナエレメント１０は、横長の半楕円形状部分１０ａと矩形状部分１０ｂを有する導体板からなる部材である。図３では、アンテナエレメント２０は、縦長の半楕円形状部分２０ａと矩形状部分２０ｂを有する導体板からなる部材である。
【００１６】
なお、アンテナエレメントは、図４（ａ）に示されるように地板３と垂直に設けられてもよく、あるいは図４（ｂ）に示されるように地板３と平行に設けられてもよい。図４では、図１のアンテナエレメント１について例示している。
【００１７】
図５は、図１に示すアンテナエレメント１の寸法図である。図５に示されるように、半円形状部分１ａの半径ｒに対して、矩形状部分１ｂは、縦の長さを２ｒ、横の長さを最大ｒ／２とする。
【００１８】
図６は、図２に示すアンテナエレメント１０の寸法図である。図６に示されるように、横長の半楕円形状部分１０ａの半長軸長ａ、半短軸長ｂに対して、矩形状部分１０ｂは、縦の長さを２ｂ、横の長さを最大ａ／２とする。
【００１９】
図７は、図３に示すアンテナエレメント２０の寸法図である。図７に示されるように、縦長の半楕円形状部分２０ａの半長軸長ｂ、半短軸長ａに対して、矩形状部分２０ｂは、縦の長さを２ｂ、横の長さを最大ａ／２とする。
【００２０】
図８は、本発明によるＶＳＷＲ特性の改善効果を示すためのシミュレーション結果が示されているグラフである。
図８において、波形Ａは、図１に示される本発明に係るアンテナのアンテナエレメント１が図４（ｂ）に示されるように地板３と平行に設けられた場合のＶＳＷＲ特性のシミュレーション結果である。波形Ｂは、図９に示される半円形状のアンテナエレメント１０００（矩形状部分は無い）が図４（ｂ）と同様に地板３と平行に設けられた場合のＶＳＷＲ特性のシミュレーション結果である。
なお、本シミュレーション条件は、アンテナエレメント１の半円形状部分１ａの半径ｒが、最低共振周波数（ｆ）の波長λに対して、約０．０８λであり、矩形状部分１ｂの横の長さはｒ／２である。同様に、アンテナエレメント１０００の半径も約０．０８λである。また、地板３は、一辺が約０．６７λの正方形である。
【００２１】
図８から明らかなように、本発明に係るアンテナのＶＳＷＲ特性の波形Ａは、半円形状のアンテナエレメント１０００から成るアンテナのＶＳＷＲ特性の波形Ｂに比べるとＶＳＷＲ特性は全体的に改善されている。
【００２２】
上述したように第１の実施形態によれば、アンテナエレメントが、ほぼ半円形状（半円形状又は半楕円形状）の主部分（半円形状部分１ａ、半楕円形状部分１０ａ，２０ａ）と矩形状の付帯部分（矩形状部分１ｂ，１０ｂ，２０ｂ）とから構成されている。これにより、更なるＶＳＷＲ特性の向上を図ることができる。
【００２３】
次に、第２の実施形態を説明する。
図１０は、本発明の第２の実施形態に係るアンテナに用いるアンテナエレメントの構成を説明するための斜視図である。本実施形態においては、アンテナエレメントが直方体の面に這うように折り曲げられている。なお、図１０では、説明の便宜上、折り曲げ方が分かりやすいように、折り曲げの型である直方体を図示している。
図１０に示されるアンテナエレメント１００は、半円形状の導体板からなる部材である。図１０において、アンテナエレメント１００は、直方体の面に這うように折り曲げられている。アンテナとして構成するときには、折り曲げられたアンテナエレメント１００が、例えば図１のアンテナエレメント１の代わりに使用される。
【００２４】
図１１は、折り曲げの型となる直方体の寸法図である。半円形状のアンテナエレメント１００の半径ｒに対して、折り曲げの型となる直方体は、寸法（幅Ｗ、高さＨ、厚さＴ）が次の（１）〜（３）式の条件を満足するものを用いる。
【００２５】
【数１】
2006025084.tif 000003
【００２６】
【数２】
2006025084.tif 000004
【００２７】
【数３】
2006025084.tif 000005
【００２８】
図１２は、図１０に示すアンテナエレメント１００の折り曲げ寸法を示す展開図である。図１２において、折り曲げの型となる直方体の寸法は、以下に示す（４）式で表される。この折り曲げ例では、直方体正面のへりの縦長の一辺の中央に、アンテナエレメント１００の形状である半円の元の円の中心が位置するように、アンテナエレメント１００を配置する。そして、直方体の面に這うように折り曲げる。
【００２９】
【数４】
2006025084.tif 000006
【００３０】
図１３は、第２の実施形態に係るアンテナエレメントの折り曲げ例を説明するための他の展開図である。この図１３の例は、直方体の幅Ｗが「３ｒ／４」である場合のものである。
【００３１】
図１４は、第２の実施形態に係るアンテナエレメントの変形例の構成を説明するための斜視図である。図１５は、図１４に示すアンテナエレメント１００ａの折り曲げ寸法を示す展開図である。この折り曲げ例では、直方体正面のへりの縦長の一辺の中央からβだけずれた位置に、アンテナエレメント１００ａの形状である半円の元の円の中心が位置するように、アンテナエレメント１００ａを配置する。そして、直方体の面に這うように折り曲げる。この直方体の高さＨ’は、上記（２）式のＨに対して次の（５）式の条件となる。
【００３２】
【数５】
2006025084.tif 000007
【００３３】
図１６は、第２の実施形態に係るアンテナエレメントの他の変形例の形状を構成するための斜視図である。図１７は、図１６に示すアンテナエレメント１００ｂの折り曲げ寸法を示す展開図である。この折り曲げ例では、直方体の左側面側にのみ折り曲げている。この直方体寸法は、半円形状のアンテナエレメント１００ｂの半径ｒに対して、「ｒ／２≦幅Ｗ＜ｒ」、「高さＨ＝２ｒ」、「厚さＴ＝ｒ−Ｗ」となる。
【００３４】
図１８、図１９は、第２の実施形態に係るアンテナエレメントの他の変形例の構成を説明するための折り曲げ寸法を示す展開図である。これらの例では、半楕円形状のアンテナエレメント２００、２００ａが直方体の面に這うように折り曲げられている。
図１８は、上記図１２と同様の折り曲げ方である。この折り曲げの型となる直方体は、半楕円形状のアンテナエレメント２００の半長軸長ａ、半短軸長ｂに対して、寸法（幅Ｗ、高さＨ、厚さＴ）が次の（６）〜（８）式の条件を満足するものを用いる。
【００３５】
【数６】
2006025084.tif 000008
【００３６】
【数７】
2006025084.tif 000009
【００３７】
【数８】
2006025084.tif 000010
【００３８】
図１８の例では、折り曲げの型となる直方体の寸法は、次の（９）式で表される。
【００３９】
【数９】
2006025084.tif 000011
【００４０】
図１９は、上記図１５と同様の折り曲げ方である。この折り曲げの型となる直方体の高さＨ’は、上記（７）式のＨに対して次の（１０）式の条件となる。
【００４１】
【数１０】
2006025084.tif 000012
【００４２】
上述したように第２の実施形態によれば、アンテナエレメントを折り曲げることによって、更なるアンテナの小型化が実現できる。
【００４３】
以上、本発明の実施形態を図面を参照して詳述してきたが、具体的な構成はこの実施形態に限られるものではなく、本発明の要旨を逸脱しない範囲の設計変更等も含まれる。
【実施例１】
【００４４】
図２０は、本発明のアンテナに使用するアンテナエレメントの一実施例を示す側面図である。この実施例１では、上記第１の実施形態に係るアンテナエレメントの矩形状部分にスリット１０１ｓが設けられている。図２０の例では、アンテナエレメント１０１は、図１のアンテナエレメント１と同様に、半円形状部分１ａと矩形状部分１０１ｂを有する導体板からなる部材である。そして、その矩形状部分１０１ｂにはスリット１０１ｓが設けられている。スリット１０１ｓの個数や配置は、所望のＶＳＷＲ特性に基づき、適宜変更すればよい。これにより、ＶＳＷＲ特性の調整が可能となる。なお、半円形状部分１ａの代わりに半楕円形状部分を用いてもよい。
【実施例２】
【００４５】
図２１は、本発明のアンテナに使用するアンテナエレメントの他の実施例を示す側面図である。この実施例２では、上記第１の実施形態に係るアンテナエレメントにおいて矩形状部分の代わりに半楕円形状部分１０２ｂが設けられている。図２１の例では、アンテナエレメント１０２は、半円形状部分１ａ（主部分）と半楕円形状部分１０２ｂ（付帯部分）を有する導体板からなる部材である。図２１に示されるように、半楕円形状部分１０２ｂ（付帯部分）は、半円形状部分１ａ（主部分）の直径に満たない長さであってもよい。
なお、主部分には半円形状部分１ａの代わりに半楕円形状部分を用いてもよい。図２２〜図２４には、第１の実施形態に係るアンテナエレメントにおいて矩形状部分の代わりに半楕円形状部分を設けた場合の寸法図が示されている。
【００４６】
図２２は、半円形状部分１ａ（主部分）と半楕円形状部分１０３ｂ（付帯部分）を有するアンテナエレメント１０３の寸法図である。図２２に示されるように、半円形状部分１ａの半径ｒに対して、半楕円形状部分１０３ｂは、長軸の長さを最大２ｒ、半短軸の長さを最大ｒ／２とする。つまり、付帯部分である半楕円形状部分１０３ｂの最大形状は、縦の長さが２ｒ、横の長さがｒ／２の矩形内に収まるようにする。
【００４７】
図２３は、横長の半楕円形状部分１０ａ（主部分）と半楕円形状部分１０４ｂ（付帯部分）を有するアンテナエレメント１０４の寸法図である。図２３に示されるように、半楕円形状部分１０ａの半長軸長ａ、半短軸長ｂに対して、半楕円形状部分１０４ｂは、長軸の長さを最大２ｂ、半短軸の長さを最大ａ／２とする。つまり、付帯部分である半楕円形状部分１０４ｂの最大形状は、縦の長さが２ｂ、横の長さがａ／２の矩形内に収まるようにする。
【００４８】
図２４は、縦長の半楕円形状部分２０ａ（主部分）と半楕円形状部分１０５ｂ（付帯部分）を有するアンテナエレメント１０５の寸法図である。図２４に示されるように、半楕円形状部分２０ａの半長軸長ｂ、半短軸長ａに対して、半楕円形状部分１０５ｂは、長軸の長さを最大２ｂ、半短軸の長さを最大ａ／２とする。つまり、付帯部分である半楕円形状部分１０５ｂの最大形状は、縦の長さが２ｂ、横の長さがａ／２の矩形内に収まるようにする。
【００４９】
上記した実施例２では、付帯部分の形状を調節することにより、ＶＳＷＲ特性の調整が可能となる。
【００５０】
なお、上述したように、本発明に係るアンテナエレメントの付帯部分は、アンテナエレメントの主部分の直径と直交する方向の長さの２倍と当該長さの半分とを辺に持つ矩形内に収まる形状であればよい。
【実施例３】
【００５１】
図２５〜図３２は、本発明のアンテナに使用するアンテナエレメントの他の実施例を説明するための図である。
図２５は、上記図１のアンテナエレメント１が直方体の面に這うように折り曲げられた構成を説明するための斜視図である。図２６は、図２５に示すアンテナエレメント１の展開図である。この例では、矩形状部分１ｂが直方体の側面側に折り曲げられている。
【００５２】
図２７は、上記図２０のアンテナエレメント１０１が直方体の面に這うように折り曲げられた構成を説明するための斜視図である。図２８は、図２７に示すアンテナエレメント１０１の展開図である。この例では、スリット１０１ｓ入りの矩形状部分１０１ｂが直方体の側面側に折り曲げられている。
【００５３】
図２９は、上記図２１のアンテナエレメント１０２が直方体の面に這うように折り曲げられた構成を説明するための斜視図である。図３０は、図２９に示すアンテナエレメント１０２の展開図である。この例では、半楕円形状部分１０２ｂが直方体の側面側に折り曲げられている。
【００５４】
図３１は、半円形状部分１ａと矩形状部分１１０ｂを有するアンテナエレメント１１０が直方体の面に這うように折り曲げられた構成を説明するための斜視図である。図３２は、図３１に示すアンテナエレメント１１０の展開図である。矩形状部分１１０ｂの長さは半円形状部分１ａの直径よりも短くなっている。この例では、矩形状部分１１０ｂが直方体の左側面側に折り曲げられている。さらに、半円形状部分１ａが右側面側および上面側から裏面側に折り曲げられている。
【００５５】
上記した実施例３では、アンテナエレメントに付帯部分を設けるとともに、アンテナエレメントを折り曲げることによって、アンテナのＶＳＷＲ特性の向上と小型化とをバランスさせながら調整することができる。
【実施例４】
【００５６】
図３３、図３４は、本発明のアンテナに使用するアンテナエレメントの他の実施例を説明するための図である。この実施例４では、アンテナエレメントが直方体形状の誘電体上に形成されている。
図３３は、上記図２５のアンテナエレメント１が誘電体２００上に形成された構成を説明するための斜視図である。図３４は、図３３に示すアンテナエレメント１及び誘電体２００の展開図である。この例では、誘電体２００は、直方体形状の部材である。そして、上記図２５のアンテナエレメント１が直方体形状の誘電体２００の面に這うように折り曲げられて誘電体２００上に形成されている。アンテナエレメント１の半円形状部分１ａは誘電体２００の正面上に形成され、矩形状部分１ｂは誘電体２００の側面側に折り曲げられて左側面上に形成されている。なお、誘電体２００は例えばセラミック素材を使用したものである。
【００５７】
図３５は、本実施例４によるＶＳＷＲ特性の改善効果を示すためのシミュレーション結果が示されているグラフである。
図３５において、波形Ｃは、図３３に示される誘電体ありの場合のＶＳＷＲ特性のシミュレーション結果である。波形Ｄは、図２５に示される誘電体なしの場合のＶＳＷＲ特性のシミュレーション結果である。図３５から明らかなように、本実施例４に係る誘電体ありの場合のＶＳＷＲ特性の波形Ｃは、誘電体なしの場合のＶＳＷＲ特性の波形Ｄに比べるとＶＳＷＲ特性は改善されている。
【００５８】
なお、アンテナエレメントをアンテナ基板に固定するためのパッドを誘電体に設けることは適宜可能である。また、給電用電極をアンテナエレメントに設けることは適宜可能である。図３６、図３７は、固定用パッド及び給電用電極の構成例を示す図であり、図３６は斜視図、図３７は展開図である。図３６、図３７に示されるように、誘電体２００上に固定用パッド３０１が設けられている。固定用パッド３０１の個数や配置は適宜変更すればよい。また、アンテナエレメント１００ａには給電用電極３０２が設けられている。給電用電極３０２は、アンテナエレメント１００ａの直径線の一端に設けられる。
【実施例５】
【００５９】
図３８は、本発明のアンテナに使用するアンテナエレメントの他の実施例を説明するための側面図である。この実施例５では、アンテナエレメントの主部分がほぼ半円の円弧を多角形で近似した形状である。図３８の例では、アンテナエレメント４００は、半円の円弧を八角形の半分で近似した形状の主部分４００ａと矩形状の付帯部分４００ｂとを有する。主部分の形状に係る条件は、次の（１１）式で表される。
【００６０】
【数１１】
2006025084.tif 000013
【００６１】
但し、Ｓは近似する半円又は半楕円の面積、Ｐは主部分の面積である。
なお、主部分は上記（１１）式の条件を満たす範囲内において多角形に近似した形状であればよい。
【実施例６】
【００６２】
図３９は、本発明に係るダイポール構造のアンテナの概略構成を示す図である。この実施例６では、アンテナエレメントを用いてダイポール構造に組み立てている。なお、ダイポールアンテナにはクロスダイポールと呼ばれるものも含まれる。図３９の例では、上記図１のアンテナエレメント１を２つ用いてダイポール構造に組み立てている。そして、図３９（ａ）の例では双方のアンテナエレメント１が同じ向きに、図３９（ｂ）の例では双方のアンテナエレメント１が反対向きに、それぞれ配置されている。
【図面の簡単な説明】
【００６３】
【図１】本発明の第１の実施形態に係るアンテナの概略構成を示す側面図である。
【図２】第１の実施形態に係るアンテナの変形例の概略構成を示す側面図である。
【図３】第１の実施形態に係るアンテナの変形例の概略構成を示す側面図である。
【図４】本発明に係るアンテナエレメントと地板との配置関係を説明するための図である。
【図５】図１に示すアンテナエレメント１の寸法図である。
【図６】図２に示すアンテナエレメント１０の寸法図である。
【図７】図３に示すアンテナエレメント２０の寸法図である。
【図８】本発明によるＶＳＷＲ特性の改善効果を示すためのシミュレーション結果が示されているグラフである。
【図９】半円形状のアンテナエレメント１０００を用いたアンテナの側面図である。
【図１０】本発明の第２の実施形態に係るアンテナに用いるアンテナエレメントの構成を説明するための斜視図である。
【図１１】折り曲げの型となる直方体の寸法図である。
【図１２】図１０に示すアンテナエレメント１００の折り曲げ寸法を示す展開図である。
【図１３】第２の実施形態に係るアンテナエレメントの折り曲げ例を説明するための他の展開図である。
【図１４】第２の実施形態に係るアンテナエレメントの変形例の構成を説明するための斜視図である。
【図１５】図１４に示すアンテナエレメント１００ａの折り曲げ寸法を示す展開図である。
【図１６】第２の実施形態に係るアンテナエレメントの他の変形例の形状を構成するための斜視図である。
【図１７】図１６に示すアンテナエレメント１００ｂの折り曲げ寸法を示す展開図である。
【図１８】第２の実施形態に係るアンテナエレメントの他の変形例の構成を説明するための折り曲げ寸法を示す展開図である。
【図１９】第２の実施形態に係るアンテナエレメントの他の変形例の構成を説明するための折り曲げ寸法を示す展開図である。
【図２０】本発明のアンテナに使用するアンテナエレメントの一実施例を示す側面図である。
【図２１】本発明のアンテナに使用するアンテナエレメントの他の実施例を示す側面図である。
【図２２】半円形状部分１ａ（主部分）と半楕円形状部分１０３ｂ（付帯部分）を有するアンテナエレメント１０３の寸法図である。
【図２３】横長の半楕円形状部分１０ａ（主部分）と半楕円形状部分１０３ｂ（付帯部分）を有するアンテナエレメント１０４の寸法図である。
【図２４】縦長の半楕円形状部分２０ａ（主部分）と半楕円形状部分１０３ｂ（付帯部分）を有するアンテナエレメント１０４の寸法図である。
【図２５】図１のアンテナエレメント１が直方体の面に這うように折り曲げられた構成を説明するための斜視図である。
【図２６】図２５に示すアンテナエレメント１の展開図である。
【図２７】図２０のアンテナエレメント１０１が直方体の面に這うように折り曲げられた構成を説明するための斜視図である。
【図２８】図２７に示すアンテナエレメント１０１の展開図である。
【図２９】図２１のアンテナエレメント１０２が直方体の面に這うように折り曲げられた構成を説明するための斜視図である。
【図３０】図２９に示すアンテナエレメント１０２の展開図である。
【図３１】半円形状部分１ａと矩形状部分１１０ｂを有するアンテナエレメント１１０が直方体の面に這うように折り曲げられた構成を説明するための斜視図である。
【図３２】図３１に示すアンテナエレメント１１０の展開図である。
【図３３】図２５のアンテナエレメント１が誘電体２００上に形成された構成を説明するための斜視図である。
【図３４】図３３に示すアンテナエレメント１及び誘電体２００の展開図である。
【図３５】本発明に係る実施例４によるＶＳＷＲ特性の改善効果を示すためのシミュレーション結果が示されているグラフである。
【図３６】固定用パッド及び給電用電極の構成例を示す斜視図である。
【図３７】固定用パッド及び給電用電極の構成例を示す展開図である。
【図３８】本発明のアンテナに使用するアンテナエレメントの他の実施例を説明するための側面図である。
【図３９】本発明に係るダイポール構造のアンテナの概略構成を示す図である。
【符号の説明】
【００６４】
１，１０，２０，１００，１００ａ，１００ｂ，１０１，１０２，１０３，１０４，１０５，１１０，２００，２００ａ，４００…アンテナエレメント、１ａ…半円形状部分（アンテナエレメントの主部分）、１ｂ，１０ｂ，２０ｂ，１０１ｂ，１１０ｂ，４００ｂ…矩形状部分（アンテナエレメントの付帯部分）、１０ａ，２０ａ…半楕円形状部分（アンテナエレメントの主部分）、１０１ｓ…スリット、１０２ｂ，１０３ｂ，１０４ｂ，１０５ｂ…半楕円形状部分（アンテナエレメントの付帯部分）、４００ａ…半八角形状部分（アンテナエレメントの主部分）、２…給電部、３…地板、２００…誘電体、３０１…固定用パッド、３０２…給電用電極。
【図１】
2006025084.tif 000014
【図２】
2006025084.tif 000015
【図３】
2006025084.tif 000016
【図４】
2006025084.tif 000017
【図５】
2006025084.tif 000018
【図６】
2006025084.tif 000019
【図７】
2006025084.tif 000020
【図８】
2006025084.tif 000021
【図９】
2006025084.tif 000022
【図１０】
2006025084.tif 000023
【図１１】
2006025084.tif 000024
【図１２】
2006025084.tif 000025
【図１３】
2006025084.tif 000026
【図１４】
2006025084.tif 000027
【図１５】
2006025084.tif 000028
【図１６】
2006025084.tif 000029
【図１７】
2006025084.tif 000030
【図１８】
2006025084.tif 000031
【図１９】
2006025084.tif 000032
【図２０】
2006025084.tif 000033
【図２１】
2006025084.tif 000034
【図２２】
2006025084.tif 000035
【図２３】
2006025084.tif 000036
【図２４】
2006025084.tif 000037
【図２５】
2006025084.tif 000038
【図２６】
2006025084.tif 000039
【図２７】
2006025084.tif 000040
【図２８】
2006025084.tif 000041
【図２９】
2006025084.tif 000042
【図３０】
2006025084.tif 000043
【図３１】
2006025084.tif 000044
【図３２】
2006025084.tif 000045
【図３３】
2006025084.tif 000046
【図３４】
2006025084.tif 000047
【図３５】
2006025084.tif 000048
【図３６】
2006025084.tif 000049
【図３７】
2006025084.tif 000050
【図３８】
2006025084.tif 000051
【図３９】
2006025084.tif 000052